(57)【要約】      （修正有）【課題】絵合わせパズルのブロックを手作りで簡単に組み立てることができ、形成した絵柄の完成度が高い絵合わせパズル制作用キットを提供する。【解決手段】基板１０とラベル片２１とでブロックを構成する。基板１０を組み立てて形成されたブロックの各面にラベル片２１を貼り付ける。長方形状を成したラベル片２１に三種類の分割絵柄Ｑ１を直線状に設ける。一枚のラベル片２１をブロック表面の三面に連続して貼り付ける。二枚のラベル片２１で一個のブロックの六面に分割絵柄Ｑ１を形成する。【選択図】図１
0003205968.tif 000002
【実用新案登録請求の範囲】
【請求項１】
立方体状を成す複数個のブロックの各六面に夫々形成された分割絵柄を組み合わせて複数種類の絵柄を完成させる絵合わせパズル制作用キットであって、ブロックは、該ブロックを組み立てる展開図に合わせて形成された紙製の複数枚の基板と、該基板を組み立てて形成されたブロックの各面に表示される分割絵柄を有する長方形状を成し、三種類の分割絵柄が直線状に並べられた複数枚のラベル片から成るラベル片群とを備え、一枚のラベル片をブロック表面の三面に連続して貼り付けるように形成し、二枚のラベル片で一個のブロックの六面に分割絵柄を形成するように構成したことを特徴とする絵合わせパズル制作用キット。
【請求項２】
前記ブロックにおいて、前記二枚のラベル片の三種類の分割絵柄の内、夫々中央部の分割絵柄を貼り付ける位置を示す位置決め用の目印を前記基板に設け、組み立て後の前記ブロックにラベル片の貼付け位置を表示するように構成した請求項１記載の絵合わせパズル制作用キット。
【請求項３】
前記基板は、六面中四面が連続する帯状に形成された帯板体と、該帯板体の左右に形成され残る二面を形成する補助板体とで形成され、帯板体の左右の長手側縁に形成され補助板体に重合する二対の補強片と、補助板体の長手両端部に形成され帯板体の下に差し込み固定する一対の差込片と、帯板体の長手両端部に形成され、帯板体を連結する一対の連結片とを備えた請求項１記載の絵合わせパズル制作用キット。
【請求項４】
前記ラベル片は、表側に三種類の前記分割絵柄が印刷され、裏側に接着剤と剥離紙とを設けた請求項１記載の絵合わせパズル制作用キット。
【請求項５】
前記ブロックを組み合わせて完成した絵柄を保存する収納箱を設け、該収納箱の内部に前記ブロックを組み合わせた状態で収納するように構成した請求項１記載の絵合わせパズル制作用キット。
【考案の詳細な説明】
【技術分野】
【０００１】
本考案は、立方体状を成すブロックの六面に夫々形成された分割絵柄を組み合わせて六種類の絵柄を完成させる絵合わせパズルを簡単に作成することができる絵合わせパズル制作用キットに関する。
【背景技術】
【０００２】
従来、立方体状を成すブロックの六面に異なった分割絵柄を表示し、複数のブロックの分割絵柄を組み合わせて複数の絵柄を完成させる絵合わせパズルが知られている（特許文献１、２参照）。
【０００３】
これらの絵合わせパズルのブロックは、展開図に合わせて形成された紙製の基板に分割絵柄を表示し、この基板を立体的に組み立てると各面に分割絵柄が表示されたブロックが構成されるものである。
【先行技術文献】
【特許文献】
【０００４】
【特許文献１】実公昭５６−３０３１号公報
【特許文献２】実公昭６１−１９４５８６号公報
【考案の概要】
【考案が解決しようとする課題】
【０００５】
ところが、従来の絵合わせパズルのように、紙製の基板に分割絵柄を表示し、この基板を組み立ててブロックを形成する場合、分割絵柄にずれが生じないように、分割絵柄とブロックの各面とを正確に合わせる必要があった。仮にブロックの分割絵柄にずれが生じていると、複数のブロックの分割絵柄を組み合わせた際に、完成した絵柄がゆがんだりするなど、ちぐはぐな印象になる不都合がある。
【０００６】
そのため、従来の絵合わせパズルでは製造時に印刷を施したり、機械による貼り付けを行ったりして、各面に正確な分割絵柄を表示したブロックが提供されている。
【０００７】
一方、知育玩具等には、玩具を手作りで完成させる楽しみと、完成した玩具を使用する楽しみとを備えているものがある。ところが、組み立てたブロックに分割絵柄を貼り付ける手作りの絵合わせパズルを提供しようとすると、分割絵柄を各面に正確に貼り付ける作業が子供等にとって難しい作業になることがわかった。
【０００８】
そこで本考案は、上述の課題を解消すべく案出されたもので、使用者が絵合わせパズルのブロックを手作りで簡単に組み立てることができ、しかも、ブロックを組み合わせて形成した絵柄の完成度が高い絵合わせパズル制作用キットの提供を目的とするものである。
【課題を解決するための手段】
【０００９】
本考案の第１の手段は、立方体状を成す複数個のブロックＰの各六面に夫々形成された分割絵柄Ｑ１を組み合わせて複数種類の絵柄Ｑを完成させる絵合わせパズル制作用キットであって、ブロックＰは、該ブロックＰを組み立てる展開図に合わせて形成された紙製の複数枚の基板１０と、該基板１０を組み立てて形成されたブロックＰの各面に表示される分割絵柄Ｑ１を有する長方形状を成し、三種類の分割絵柄Ｑ１が直線状に並べられた複数枚のラベル片２１から成るラベル片群２０とを備え、一枚のラベル片２１をブロックＰ表面の三面に連続して貼り付けるように形成し、二枚のラベル片２１で一個のブロックＰの六面に分割絵柄Ｑ１を形成するように構成したことにある。
【００１０】
第２の手段は、前記ブロックＰにおいて、前記二枚のラベル片２１の三種類の分割絵柄Ｑ１の内、夫々中央部の分割絵柄Ｑ１を貼り付ける位置を示す位置決め用の目印１６を前記基板１０に設け、組み立て後の前記ブロックＰにラベル片２１の貼付け位置を表示するように構成したものである。
【００１１】
第３の手段において、前記基板１０は、六面中四面が連続する帯状に形成された帯板体１１と、該帯板体１１の左右に形成され残る二面を形成する補助板体１２とで形成され、帯板体１１の左右の長手側縁に形成され補助板体１２に重合する二対の補強片１３と、補助板体１２の長手両端部に形成され帯板体１１の下に差し込み固定する一対の差込片１４と、帯板体１１の長手両端部に形成され、帯板体１１を連結する一対の連結片１５とを備えた構成である。
【００１２】
第４の手段において、前記ラベル片２１は、表側に三種類の前記分割絵柄Ｑ１が印刷され、裏側に接着剤２２と剥離紙２３とを設けたものである。
【００１３】
第５の手段は、前記ブロックＰを組み合わせて完成した絵柄Ｑを保存する収納箱Ｒを設け、該収納箱Ｒの内部に前記ブロックＰを組み合わせた状態で収納するように構成したものである。
【考案の効果】
【００１４】
請求項１のごとく、一枚のラベル片２１をブロックＰ表面の三面に連続して貼り付けるように形成し、二枚のラベル片２１で一個のブロックＰの六面に分割絵柄Ｑ１を形成するように構成したことにより、分割絵柄Ｑ１にずれが生じないように簡単にブロックＰを形成することができる。この結果、ブロックを組み合わせて形成した絵柄の完成度が高い絵合わせパズルを提供することが可能になった。
【００１５】
請求項２のように、二枚のラベル片２１の三種類の分割絵柄Ｑ１の内、夫々中央部の分割絵柄Ｑ１を貼り付ける位置を示す位置決め用の目印１６を前記基板１０に設け、組み立て後の前記ブロックＰにラベル片２１の貼付け位置を表示するように構成したことで、二枚のラベル片２１をブロックＰに貼り付ける作業を確実にすることができる。この結果、子供らでも容易にブロックＰに分割絵柄Ｑ１を設けることが可能になる。
【００１６】
請求項３のように、基板１０に、帯板体１１、補助板体１２、補強片１３、差込片１４、連結片１５を形成したことで、この基板１０を組み立てた際に、これらの構成がブロックＰの各部を補強すると共に、紙製の正確な正六面体を形成することができる。したがって、ラベル片２１を貼り付ける作業もより正確に行えるものである。
【００１７】
請求項４のごとく、ラベル片２１の表側に三種類の前記分割絵柄Ｑ１を印刷し、裏側に接着剤２２と剥離紙２３とを設けたことで、ラベル片２１の貼り付け作業がより簡単にすることができる。しかも、印刷による分割絵柄Ｑ１が絵柄Ｑの出来栄えを良好にして完成度が高い絵合わせパズルを提供できる。
【００１８】
請求項５のように、ブロックＰを組み合わせて完成した絵柄Ｑを保存する収納箱Ｒを設け、該収納箱Ｒの内部に前記ブロックＰを組み合わせた状態で収納するように構成することで、各ブロックＰの収納する際に使用する他、この収納箱Ｒを完成した絵柄Ｑの額縁の機能も備えるものである。
【００１９】
このように本考案によると、使用者が絵合わせパズルのブロックを手作りで簡単に組み立てることができ、しかも、ブロックを組み合わせて形成した絵柄の完成度が高くなるなどといった当初の目的を達成したものである。
【図面の簡単な説明】
【００２０】
【図１】本考案制作用キットの一実施例を示す構成図である。
【図２】本考案の基板でブロックを組み立てる状態を示す斜視図である。
【図３】（イ）はラベル片の貼り付け位置を示し、（ロ）はラベル片を貼り付けた後のブロックを示す斜視図である。
【図４】本考案のラベル片群と各ラベル片を示す構成図である。
【図５】本考案の収納箱を示す斜視図である。
【図６】本考案の完成した絵柄を示す斜視図である。
【図７】本考案の基板を示す展開図である。
【図８】本考案の収納箱の他の実施例で、（イ）は折り畳み状態の平面図、（ロ）は組立て状態を示す斜視図である。
【考案を実施するための形態】
【００２１】
以下、本考案を図示例に基づいて説明する。本考案は、立方体状を成す複数個のブロックＰの各六面に夫々形成された分割絵柄Ｑ１を組み合わせて複数種類の絵柄Ｑを完成させる絵合わせパズルを、使用者が手作りで完成させることができる制作用キットである。
【００２２】
本考案の基本構成は、複数枚の紙製の基板１０と、複数枚のラベル片２１にて構成されるラベル片群２０と、収納箱Ｒとを備えている（図１参照）。
【００２３】
ブロックＰは、基板１０を組み立てることで形成されるものである。図示のブロックＰは、基本構成として帯板体１１と補助板体１２とで形成されている（図７参照）。すなわち、帯板体１１は、六面中四面が連続する帯状に形成された部材である。一方、補助板体１２は、帯板体１１の左右の長手側縁に形成され補助板体１２に重合する二対の補強片１３を備えており、帯板体１１に交差するように設けられている。
【００２４】
更に、図示の帯板体１１には、帯板体１１の左右の長手側縁に形成された二対の補強片１３を備えている（図７参照）。この補強片１３は、ブロックＰを組み立てた際に、補助板体１２の下に重合する（図２参照）。更に、帯板体１１の長手両端部に一対の連結片１５を備えている（図７参照）。この連結片１５は、ブロックＰを組み立てた際に、帯板体１１を連結するように設けている（図２参照）。図示例の連結片１５は、一方の連結片１５に差込孔１５Ａを形成し、他方の連結片１５の形状をこの差込孔１５Ａに差し込む舌片状に形成している。
【００２５】
一方、補助板体１２の長手両端部には、帯板体１１の下に差し込み固定する一対の差込片１４を形成している（図７参照）。これら一対の差込片１４を帯板体１１の下に重合させることで、帯板体１１と補助板体１２との構造を強化し、強固なブロックＰを組み立てることができる（図２参照）。
【００２６】
基板１０を組み立ててブロックＰを形成した後は、このブロックＰの各面に分割絵柄Ｑ１を設ける作業になる。本考案では各ブロックＰの六面の分割絵柄Ｑ１を形成する際に、三面の分割絵柄Ｑ１を同時に形成するラベル片２１を二枚使用する（図３（イ）参照）。このラベル片２１は、長方形状を成し、三種類の分割絵柄Ｑ１が直線状に並べられたものである。このとき完成する絵柄Ｑを形成する為に必要な複数枚のラベル片２１を集合したものを便宜上、ラベル片群２０と称する（図１参照）。
【００２７】
図示のラベル片群２０は、六個のブロックＰの分割絵柄Ｑ１を設けるために必要なラベル片２１を示している（図４参照）。すなわち、同図の丸数字は各ブロックＰを識別するもので、丸１から丸６まで全六個のブロックＰに夫々二枚のラベル片２１が備えられている。このラベル片２１はブロックＰの表面に貼り付けるものなので、ラベル片２１の裏面に予め接着剤２２と剥離紙２３とを設けることでラベル片２１の貼り付け作業を容易にしている。
【００２８】
そして、二枚のラベル片２１で一個のブロックＰの六面に分割絵柄Ｑ１を形成するものである（図３参照）。このとき、各ラベル片２１がブロックＰ表面の三面に連続して貼り付けるようにするため、ブロックＰに対して縦向きのラベル片２１と横向きのラベル片２１とを対向するように配置している（同図（イ）参照）。そして、この状態で二枚のラベル片２１をブロックＰに貼り付けるだけで六面の分割絵柄Ｑ１が簡単に形成されるものである（同図（ロ）参照）。
【００２９】
図示例では、ブロックＰの正確な位置にラベル片２１を貼り付けるようにするため、基板１０に目印１６を表示している（図７参照）。そして、組み立てたブロックＰの目印１６の位置に、ラベル片２１の中央部の分割絵柄Ｑ１を合わせるだけで各ラベル片２１を正確な位置に貼り付けることができるように設けたものである（図３（イ）参照）。
【００３０】
図５は、ブロックＰを収納する収納箱Ｒを示している。そして、この収納箱Ｒ内で同一絵柄Ｑの分割絵柄Ｑ１を組み合わせると一つの完成した絵柄Ｑが表出する（図６参照）。このとき、完成した絵柄Ｑの選択は任意に選択することができる。例えば製品を販売する地域の特色をテーマとする絵柄Ｑや購買者の趣向に合わせたテーマの絵柄Ｑ、あるいは絵葉書のように名所を表示した絵柄Ｑなど任意の絵柄Ｑを自由に選択することができる。
【００３１】
図示の収納箱Ｒは、長方形状を成しており、一般的な構造の基盤３０を使用している（図１参照）。但し、組立てを容易にするために、展開状態の基盤３０の長手側縁に沿って形成する長手側面３１に、予め補強片３２を接着して補強した状態に形成している。そして長手両端部に形成する端部側面３３の内側に、補強片３４と支持片３５とを順次内側に折り込むだけの作業で、収納箱Ｒが簡単に形成されるものである（図５参照）。
【００３２】
更に収納箱Ｒの構成を、図８に示す構成に変更することができる。すなわち、基板１０の状態において、長手側壁３６が端部側壁３７の内側に折りたたまれた状態で予め端部側壁３７に接着されている（同図（イ）参照）。この状態から長手側壁３６を外側へ引き起こすと、長手側壁３６と共に端部側壁３７も起き上がり、収納箱Ｒが自動的に形成される構造である（同図（ロ）参照）。このような基板１０で収納箱Ｒを形成することで、収納箱Ｒの形成を更に容易にすることができる。
【００３３】
尚、本考案基板１０の展開図は図示例に限られるものではなく、使用するブロックＰの数及び完成した絵柄Ｑのサイズや形状などは適宜自由に設定、変更できるものである。
【符号の説明】
【００３４】
Ｐ  ブロック
Ｑ  絵柄
Ｑ１  分割絵柄
Ｒ  収納箱
１  上面
２  前側面
３  下面
４  後側面
５  右側面
６  左側面
１０  基板
１１  帯板体
１２  補助板体
１３  補強片
１４  差込片
１５  連結片
１６  目印
２０  ラベル片群
２１  ラベル片
２２  接着剤
２３  剥離紙
３０  基盤
３１  長手側面
３２  補強片
３３  端部側面
３４  補強片
３５  支持片
３６  長手側壁
３７  端部側壁
【図１】
0003205968.tif 000003
【図２】
0003205968.tif 000004
【図３】
0003205968.tif 000005
【図４】
0003205968.tif 000006
【図５】
0003205968.tif 000007
【図６】
0003205968.tif 000008
【図７】
0003205968.tif 000009
【図８】
0003205968.tif 000010